(57)【要約】【課題】換気モードの際の風の漏れを防止して換気効率の向上を図る換気装置を提供する。【解決手段】室内の空気を吸気するための吸気口３と、吸気した空気を室外へ排気するための排気口５と、吸気した空気を前記室内へ戻すための吹出口４と、この吹出口４に設けたヒータＨと、吸気口３から空気を吸引して送風する遠心ファンＦと、この遠心ファンＦからの空気を排気口５へ導く換気風路５Ａと、遠心ファンＦからの空気を吹出口４へ導く循環用風路４Ａと、遠心ファンＦから送風される空気の送風方向を換気風路５Ａや循環用風路４Ａに切り換えるダンパＤとを備え、ダンパＤが換気位置に切り換えられているときのダンパＤの側縁と循環用風路４Ａの側壁４ｂとの間の隙間から室内へ風が漏れるのを防止するリブＬをダンパＤの側縁に設けた。【選択図】　図７
2004116954.tif 000002
【特許請求の範囲】
【請求項１】
室内の空気を吸気するための吸気口と、吸気した空気を室外へ排気するための排気口と、前記吸気した空気を前記室内へ戻すための吹出口と、前記吸気口から空気を吸引して送風する送風機と、この送風機からの空気を前記排気口へ導く換気風路と、前記送風機からの空気を前記吹出口へ導く循環風路と、前記送風機から送風される空気の送風方向を前記換気風路や循環風路に切り換えるダンパとを備えた換気装置であって、
前記ダンパが前記送風方向を前記換気方向に切り換えられているときの前記ダンパの側縁と前記循環風路の壁との間の隙間から室内へ風が漏れるのを防止する漏れ防止手段を設けたことを特徴とする換気装置。
【請求項２】
前記漏れ防止手段は、前記ダンパの両側縁部に設けたリブであることを特徴とする換気装置。
【請求項３】
前記漏れ防止手段は、前記ヒータを取り付けたケースに設けたリブであることを特徴とする換気装置。
【発明の詳細な説明】
【０００１】
【発明の属する技術分野】
この発明は例えば浴室を換気する換気装置に関する。
【０００２】
【従来の技術】
従来、浴室内の空気を吸気するための吸気口と、吸気した空気を室外へ排気するための排気口と、上記吸気した空気を浴室内へ戻すための吹出口と、この吹出口に設けたヒータと、上記吸気口から空気を吸引して送風する送風機と、この送風機からの空気を上記排気口へ導く換気風路と、上記送風機からの空気を上記吹出口へ導く循環風路と、上記送風機から送風される空気の送風方向を上記換気風路や循環風路に切り換えるダンパとを備えた換気装置が知られている。
【０００３】
この換気装置は、ダンパが換気モードに切り換えられているとき、吸気口から吸気された空気が排気口から排気されて浴室の換気を行う。また、ダンパが暖房モードに切り換えられているとき吸気口から吸気された空気はヒータを介して吹出口から浴室内へ流れて浴室が暖房される。（例えば、特許文献１参照。）。
【０００４】
【特許文献１】
特開平９−１２６５１６号公報（第３頁、図１）
【０００５】
【発明が解決しようとする課題】
しかしながら、このような従来の換気装置にあっては、図９に示すようにダンパ１０１が鎖線で示す換気位置に切り換えられているとき、図１０に示すダンパ１０１の側縁１０１ａと本体ケースの循環風路１０２の側壁１０２Ａとの間の隙間Ｋから矢印で示すように風が漏れて浴室内へ戻るため、換気効率が低下してしまう問題があった。また、通常換気時は浴室側に風が漏れない構造となっているにも拘わらず、その風の漏れにより入浴者が違和感を感じてしまう等の問題もあった。
【０００６】
この発明の目的は、換気モードの際の風の漏れを防止して換気効率の向上を図ることができる換気装置を提供することにある。
【０００７】
【課題を解決するための手段】
上記目的を達成するため、請求項１の発明は、室内の空気を吸気するための吸気口と、吸気した空気を室外へ排気するための排気口と、前記吸気した空気を前記室内へ戻すための吹出口と、前記吸気口から空気を吸引して送風する送風機と、この送風機からの空気を前記排気口へ導く換気風路と、前記送風機からの空気を前記吹出口へ導く循環風路と、前記送風機から送風される空気の送風方向を前記換気風路や循環風路に切り換えるダンパとを備えた換気装置であって、
前記ダンパが前記送風方向を前記換気方向に切り換えられているときの前記ダンパの側縁と前記循環風路の壁との間の隙間から室内へ風が漏れるのを防止する漏れ防止手段を設けたことを特徴とする。
【０００８】
請求項２の発明は、前記漏れ防止手段は、前記ダンパの両側縁部に設けたリブであることを特徴とする。
【０００９】
請求項３の発明は、前記漏れ防止手段は、前記ヒータを取り付けたケースに設けたリブであることを特徴とする。
【００１０】
【発明の実施の形態】
以下に、この発明に係る換気装置の１つである浴室換気暖房装置の実施の形態を図面に基づいて説明する。
【００１１】
図１及び図２において、１は浴室換気装置であり、この浴室換気装置１は、予め天井Ｔに設けた開口部ｔ内に収納される本体ケース２を有し、天井Ｔにネジ孔ＴＨを介してネジ（図示せず）止め固定される。この本体ケース２の下面には、浴室内（図示せず）の空気を吸気する吸気口３と浴室内へ風を吹き出す吹出口４とが設けられている。吹出口４内にはセラミックヒータＨが設けられており、吹出口４から吹き出す空気をそのセラミックヒータＨによって暖めるようになっている。このセラミックヒータＨは、枠状に形成されたヒータケース６（図５、６参照）に取り付けられており、このヒータケース６は吹出口４内に取り付けられている。
【００１２】
本体ケース２の側方には排気口５が設けられており、この排気口５は図２に示すようにダクト１５を介して室外に連通されている。本体ケース２内にはダンパＤが設けられており、図２に示す実線位置と破線位置と鎖線位置とに切り換え可能となっている。なお、ダンパＤは任意の中間位置に位置できるように設定してもよい。
【００１３】
ダンパＤは図４に示す軸８回りに回動して位置が切り換わるものであり、軸８は図５および図６に示すようにヒータケース６に設けた一対の支持部材９に回動自在に保持されている。
【００１４】
そして、ダンパＤが実線位置（暖房モード位置）に切り換えられると、吸気口３と吹出口４とが循環用風路４Ａを介して連通されてセラミックヒータＨの通電により暖房モードとなり、吸気口３、循環用風路４Ａ、そして吹出口４へと空気が流れ、浴室内を暖房する。この状態において、セラミックヒータＨを非通電にすると、吹出口４から涼しい風が吹き出し、涼風モードとなる。
【００１５】
ここで、循環用風路４Ａとは、ダンパＤの位置を中間位置にして、換気と循環送風の両方を同時に行う場合、その循環送風の風路も含まれる。
【００１６】
ダンパＤが破線位置（換気モード位置）に切り換えられると、吸気口３と排気口５とが換気風路５Ａを介して連通されて換気モードとなり、吸気口３、換気風路５Ａ、そして、排気口５へと空気が流れ、換気が行われる。また、ダンパＤが中間位置である鎖線位置（乾燥モード位置）に切り換わると、セラミックヒータＨの通電により乾燥モードとなり、吸気口３、換気風路５Ａ、排気口５へと空気が流れて湿った空気が室外へ排出され、代わりに浴室のドアに設けてある吸込口（図示せず）から乾いた空気を取り入れるとともに、吸気口３，循環用風路４Ａ、吹出口４へと空気が流れて浴室内の温度が適度に上がり、衣類の乾燥が行えるようになっている。
【００１７】
浴室換気装置１の運転を停止させたときには、ダンパＤが実線位置に切り換えられると共にセラミックヒータＨが非通電状態になるようになっている。
【００１８】
本体ケース２内には図２〜図４に示すように遠心ファン（送風機）Ｆが設けられており、この遠心ファンＦによって空気を吸気し、その吸気した空気を吹出口４から吹き出させたり、排気口５から排気したりするようになっている。Ｍは遠心ファンＦを回転させるモータである。
【００１９】
ダンパＤの両側縁ＤＳには下向きのリブＬが形成されており、このリブＬはダンパＤが換気位置に切り換えられているときのダンパＤの側縁ＤＳと本体ケース２に形成された循環用風路４Ａの側壁４ｂとの間の隙間から風が漏れるのを防止する漏れ防止手段として機能する。なお、図７に示すように、このリブＬと循環用風路４Ａの側壁４ｂとの間にはダンパＤがスムーズに回動できるようにわずかな隙間が形成されている。
【００２０】
漏れ防止手段は、風の漏れを完全に防止するものでなくてもよく、浴室内で入浴中の人が風を感じない程度若しくは換気効率が著しく低下しない程度にするものでもよい。
【００２１】
図５はダンパＤが図２および図４における実線で示す位置あるときの状態を示しており、この場合、浴室換気装置１は暖房モードにあるが、リブＬは循環用風路４Ａから吹出口４に向けての風の流れに対して抵抗になることはなく、暖房はスムーズに行われることとなる。
【００２２】
図６はダンパＤが図２および図４における破線位置にあるときの状態を示しており、この場合、浴室換気装置１は換気モードであり、図７に示すようにダンパＤの両側縁ＤＳにリブＬが設けられていることにより、風が漏れる経路が遮断されるため、ダンパＤの両側縁ＤＳと循環用風路４Ａの側壁４ｂとの間の隙間に空気が矢印で示すように入り込んで浴室へ風が漏れてしまうことが防止される。この浴室内への風の漏れの防止により、換気効率が向上することとなる。また、風が浴室内に漏れないことにより、入浴者に違和感を感じさせないことにもなる。
【００２３】
図８は、この発明の他の実施形態を示すものであり、この他の実施形態のものはリブＬをヒータケース６のフランジ６Ａに設けたものである。
【００２４】
この他の実施形態においても前述した実施の形態と同様の作用効果を奏する。
【００２５】
上記実施形態は、浴室換気装置１について説明したが、浴室以外の室内を換気する換気装置に適用してもよい。
【００２６】
【発明の効果】
以上説明したように、この発明によれば、ダンパが送風方向を換気方向に切り換えられているときの前記ダンパの側縁と前記循環用風路の壁との間の隙間から風が浴室へ漏れるのを防止する漏れ防止手段を設けたことにより、換気モードの際の風の漏れを防止して換気効率の向上を図ることができる。
【図面の簡単な説明】
【図１】この発明に係る浴室換気装置の外観を示した斜視図である。
【図２】図１に示す浴室換気装置の構成を概略的に示した断面図である。
【図３】図１に示す浴室換気装置の一部を切欠した斜視図である。
【図４】図１に示す浴室換気装置の一部を切欠して遠心ファンとダンパなどを示した斜視図である。
【図５】ダンパが暖房モード位置に切り換えられているときの状態を示す斜視図である。
【図６】ダンパが換気モード位置に切り換えられているときの状態を示す斜視図である。
【図７】ダンパのリブと循環用風路の側壁との位置関係を示す説明図である。
【図８】他の実施形態を示した説明図である。
【図９】従来のダンパの切換位置を示した説明図である。
【図１０】風の漏れを示した説明図である。
【符号の説明】
１　　　　浴室換気装置
２　　　　　本体ケース
２Ａ　　　本体ケース側壁部
３　　　　吸気口
４　　　　吹出口
４Ａ　　　循環用風路
４ｂ　　　　側壁
５Ａ　　　換気風路
６　　　　ヒータケース
Ｄ　　　　ダンパ
ＤＳ　　　　ダンパ側縁
Ｈ　　　　ヒータ
Ｌ　　　　リブ
【図１】
2004116954.tif 000003
【図２】
2004116954.tif 000004
【図３】
2004116954.tif 000005
【図４】
2004116954.tif 000006
【図５】
2004116954.tif 000007
【図６】
2004116954.tif 000008
【図７】
2004116954.tif 000009
【図８】
2004116954.tif 000010
【図９】
2004116954.tif 000011
【図１０】
2004116954.tif 000012